(57)【要約】【課題】建設現場における工事の進捗状況を簡単かつ確実に管理できる進捗状況管理方法を提供すること。【解決手段】所定の位置関係を有する場合に一つの標識と認識される接続タグＴを第１鉄骨柱Ｃ１と第２鉄骨柱Ｃ２との接続部と関連づけて記憶し、接続タグＴを構成する第１タグＴ１を第１鉄骨柱Ｃ１の接続部位に付す一方、接続タグＴを構成する第２タグＴ２を第２鉄骨柱Ｃ２の接続部位に付す準備工程と、第１鉄骨柱Ｃ１と第２鉄骨柱Ｃ２との接続部を撮像し、撮像した画像から記憶した接続タグＴが抽出された場合に第１鉄骨柱Ｃ１と第２鉄骨柱Ｃ２との接続を完了とし、撮像した画像から記憶した接続タグＴが抽出されない場合に第１鉄骨柱Ｃ１と第２鉄骨柱Ｃ２との接続を未了とする管理工程とにより、第１鉄骨柱Ｃ１と第２鉄骨柱Ｃ２とが接続されたか否かを管理するので、建設現場における工事の進捗状況を簡単かつ確実に管理できる。【選択図】図１
2011221874.tif 000002
【特許請求の範囲】
【請求項１】
第１の部材と第２の部材との接続部に、前記第１の部材と前記第２の部材とが接続された場合に前記第１の部材の接続部位に付された第１の標識と前記第２の部材の接続部位に付された第２の標識とが構成する識別標識を関連付けて記憶した記憶装置と、
前記第１の部材と前記第２の部材との接続部を撮像した画像から前記記憶装置に記憶した識別標識が抽出された場合に前記第１の部材と前記第２の部材との接続を完了とし、識別標識が抽出されない場合に前記第１の部材と前記第２の部材との接続を未了とする管理装置と
を備えたことを特徴とする進捗状況管理装置。
【請求項２】
所定の位置関係を有する場合に一つの標識と認識される識別標識を第１の部材と第２の部材との接続部と関連づけて記憶し、前記識別標識を構成する第１の標識を前記第１の部材の接続部位に付す一方、前記識別標識を構成する第２の標識を前記第２の部材の接続部位に付す準備工程と、
第１の部材と第２の部材との接続部を撮像し、撮像した画像から記憶した識別標識が抽出された場合に第１の部材と第２の部材との接続を完了とし、撮像した画像から記憶した識別標識が抽出されない場合に第１の部材と第２の部材との接続を未了とする管理工程と
を有することを特徴とする進捗状況管理方法。
【請求項３】
前記管理工程は、
前記接続部を撮像する撮像工程と、
前記撮像工程において撮像した画像から記憶した識別標識を抽出する抽出工程と
を有することを特徴とする請求項２に記載の進捗状況管理方法。
【発明の詳細な説明】
【技術分野】
【０００１】
本発明は、建設現場における工事の進捗状況を管理する進捗状況管理装置および進捗状況管理方法に関する。
【背景技術】
【０００２】
建設現場における工事の進捗状況を管理する進捗状況管理システムが提案されている。この進捗状況管理システムは、工事の進捗を管理するデータベースと、複数の場所に設けられた複数の端末と、端末から工事の作業に関するデータを取得してデータベースを管理する管理装置とを備えている。データベースは、建設部材ごとに、その建設部材に対して行われた作業内容や作業日時を管理する。
【０００３】
端末は、識別情報取得部、送信部を備えている。識別情報取得部は、建設資材に付された識別標識を読み取ることにより、建設資材の識別情報を取得する。送信部は、識別情報取得部が取得した建設資材の識別情報に、その建設資材に対して行われた作業内容と作業日時とを対応づけた作業データを管理サーバへ送信する。
【０００４】
一方、管理装置は、通信部、作業データ取得部、登録部を備えている。通信部は、有線または無線のネットワークやデータケーブルなどを介した端末との間の通信を制御する。作業データ取得部は、端末から送信された作業データを取得する。登録部は、取得した作業データをデータベースに登録する（たとえば、特許文献１参照）。
【先行技術文献】
【特許文献】
【０００５】
【特許文献１】特開２００７−３２３４９７号公報
【発明の概要】
【発明が解決しようとする課題】
【０００６】
しかしながら、上述した進捗状況管理システムは、作業データを端末から手動入力する必要があり、作業内容の手動入力を怠ると進捗状況を管理できない。
【０００７】
本発明は、上記に鑑みてなされたものであって、建設現場における工事の進捗状況を簡単かつ確実に管理できる進捗状況管理装置および進捗状況管理方法を提供することを目的とする。
【課題を解決するための手段】
【０００８】
上述した課題を解決し、目的を達成するために、本発明は、第１の部材と第２の部材との接続部に、前記第１の部材と前記第２の部材とが接続された場合に前記第１の部材の接続部位に付された第１の標識と前記第２の部材の接続部位に付された第２の標識とが構成する識別標識を関連付けて記憶した記憶装置と、前記第１の部材と前記第２の部材との接続部を撮像した画像から前記記憶装置に記憶した識別標識が抽出された場合に前記第１の部材と前記第２の部材との接続を完了とし、識別標識が抽出されない場合に前記第１の部材と前記第２の部材との接続を未了とする管理装置とを備えたことを特徴とする。
【０００９】
また、本発明は、所定の位置関係を有する場合に一つの標識と認識される識別標識を第１の部材と第２の部材との接続部と関連づけて記憶し、前記識別標識を構成する第１の標識を前記第１の部材の接続部位に付す一方、前記識別標識を構成する第２の標識を前記第２の部材の接続部位に付す準備工程と、第１の部材と第２の部材との接続部を撮像し、撮像した画像から記憶した識別標識が抽出された場合に第１の部材と第２の部材との接続を完了とし、撮像した画像から記憶した識別標識が抽出されない場合に第１の部材と第２の部材との接続を未了とする管理工程とを有することを特徴とする。
【００１０】
また、本発明は、上記進捗状況管理方法において、前記管理工程は、前記接続部を撮像する撮像工程と、前記撮像工程において撮像した画像から記憶した識別標識を抽出する抽出工程とを有することを特徴とする。
【発明の効果】
【００１１】
本発明にかかる進捗状況管理装置は、第１の部材と第２の部材との接続部に、第１の部材と第２の部材とが接続された場合に第１の部材の接続部位に付された第１の標識と第２の部材の接続部位に付された第２の標識とが構成する識別標識を関連付けて記憶した記憶装置と、第１の部材と第２の部材との接続部を撮像した画像から記憶装置に記憶した識別標識が抽出された場合に第１の部材と第２の部材との接続を完了とし、識別標識が抽出されない場合に第１の部材と第２の部材との接続を未了とする管理装置とを備えることにより、第１の部材と第２の部材とが接続されたか否かを管理するので、建設現場における工事の進捗状況を簡単かつ確実に管理できる。
【００１２】
また、本発明にかかる進捗状況管理方法は、所定の位置関係を有する場合に一つの標識と認識される識別標識を第１の部材と第２の部材との接続部と関連づけて記憶し、識別標識を構成する第１の標識を第１の部材の接続部位に付す一方、識別標識を構成する第２の標識を第２の部材の接続部位に付す準備工程と、第１の部材と第２の部材との接続部を撮像し、撮像した画像から記憶した識別標識が抽出された場合に第１の部材と第２の部材との接続を完了とし、撮像した画像から記憶した識別標識が抽出されない場合に第１の部材と第２の部材との接続を未了とする管理工程とにより、第１の部材と第２の部材とが接続されたか否かを管理するので、建設現場における工事の進捗状況を簡単かつ確実に管理できる。
【図面の簡単な説明】
【００１３】
【図１】図１は、建設現場における工事の進捗状況を示す概念図である。
【図２】図２は、本発明の実施の形態である進捗状況管理装置を示すブロック図である。
【図３】図３は、図２に示した記憶装置に構築したデータベースを示す概念図である。
【図４】図４は、本発明の実施の形態である進捗状態管理方法を示すフローチャートである。
【図５】図５は、図４に示した確認工程の詳細を示すフローチャートである。
【発明を実施するための形態】
【００１４】
以下に、本発明にかかる進捗状況管理方法および進捗状況管理装置の実施の形態を図面に基づいて詳細に説明する。なお、この実施の形態によりこの発明が限定されるものではない。
【００１５】
図１は、建設現場における工事の進捗状況を示す概念図である。図１に示す例では、接続対象となる鉄骨柱（以下、第１鉄骨柱という）Ｃ１と、第１鉄骨柱Ｃ１に接続する鉄骨柱（以下、第２鉄骨柱という）Ｃ２との接続状態を把握することにより、工事の進捗状況を管理する。
【００１６】
第１鉄骨柱Ｃ１と第２鉄骨柱Ｃ２とには、製作段階で識別符号が付与され、第１鉄骨柱Ｃ１の識別符号（たとえば「２０３３」）と第２鉄骨柱Ｃ２の識別符号（たとえば「１７５４」）とにより、第１鉄骨柱Ｃ１と第２鉄骨柱Ｃ２との接続部が特定される。また、図１（ｃ）に示すように、第１鉄骨柱Ｃ１と第２鉄骨柱Ｃ２とを接続した場合に所定の位置関係を有するように、第１タグＴ１が第１鉄骨柱Ｃ１の接続部位の外表面に貼付してあり、第２タグＴ２が第２鉄骨柱Ｃ２の接続部位に貼付してある。このように貼付してある第１タグＴ１と第２タグＴ２とは、第１鉄骨柱Ｃ１と第２鉄骨柱Ｃ２とを接続した場合に所定の位置関係を有し、一つのタグ（接続タグ）Ｔとして認識される。なお、図１（ａ）に示す第２鉄骨柱Ｃ２のように、一端が第１鉄骨柱Ｃ１に接続され、他端が第３鉄骨柱（図示せず）に接続される場合には、一端に第２タグＴ２が貼付してあり、他端に第３タグＴ３が貼付してある。
【００１７】
図２は、本発明の実施の形態である進捗状況管理装置を示すブロック図であり、図３は、図２に示した記憶装置に構築したデータベースを示す概念図である。
【００１８】
図２に示すように、本発明の実施の形態である進捗状況管理装置１は、建設現場における工事の進捗状況を管理するためのもので、管理装置２と記憶装置３とを備えている。
【００１９】
記憶装置３には、データベース３０が構築してある（図３参照）。データベース３０は、進捗状況を管理するためのもので、図３に示すように、接続部情報に関連づけて識別標識情報を記憶している。接続部情報は、第１の部材と第２の部材との接続部を示す情報であって、第１の部材情報と第２の部材情報とによって特定される。第１の部材情報は、接続対象となる被接続部材を特定する情報であり、たとえば、図２に示すように、部材の種類と識別番号とにより特定される。第２の部材情報は、被接続部材に接続する接続部材を特定する情報であり、被接続部材と同様に、部材の種類と識別番号とにより特定される。図２に示す例では、第１鉄骨柱Ｃ１を示す「鉄骨柱２０３３」が第１の部材情報に記憶してあり、第２鉄骨柱Ｃ２を示す「鉄骨柱１７５４」が第２の部材情報に記憶してある。
【００２０】
識別標識情報は、所定の位置関係を有する場合に一つの標識と認識される識別標識の情報である。識別標識は、第１の標識と第１の標識と対になる第２の標識とにより構成されている。図２に示す例では、第１タグＴ１と第２タグＴ２とにより構成される接続タグＴの情報が識別標識情報に記憶してある。
【００２１】
管理装置２は、第１の部材と第２の部材の接続を管理するためのものである。管理装置２は、第１の部材と第２の部材との接続部を撮像した画像から記憶装置３のデータベース３０に記憶された識別標識情報が抽出された場合に第１の部材と第２の部材との接続を完了とし、識別標識情報が抽出されない場合に第１の部材と第２の部材との接続を未了とする。
【００２２】
したがって、図１（ｃ）に示す例では、撮像した画像から接続タグＴの情報が抽出されるので、管理装置２は第１鉄骨柱Ｃ１と第２鉄骨柱Ｃ２との接続を完了とし、図１（ｂ）に示す例では、撮像した画像から接続タグＴの情報が抽出されないので、管理装置２は第１鉄骨柱Ｃ１と第２鉄骨柱Ｃ２との接続を未了とする。
【００２３】
図４は、本発明の実施の形態である進捗状況管理方法を示すフローチャートであり、図５は、図４に示した管理工程の詳細を示すフローチャートである。
【００２４】
図４に示すように、本発明の実施の形態である進捗状況管理方法は、準備工程（ステップＳ１）と確認工程（ステップＳ２）とを有している。
【００２５】
準備工程（ステップＳ１）は、接続部情報と関連づけて識別標識情報を記憶するともに、識別標識を構成する標識を貼付する工程である。上述したように、接続部は、第１の部材と第２の部材との接続部であって、第１の部材と、第１の部材に接続する第２の部材とによって特定される。このため、識別標識情報は第１の部材情報と第２の部材情報とに関連づけて記憶されることになる。識別標識は、所定の位置関係を有する場合に一つの標識と認識されるもので、第１の標識と、第１の標識と対になる第２の標識とにより構成されている。
【００２６】
そして、第１の部材と第２の部材とを接続した場合に所定の位置関係を有するように、第１の標識を第１の部材の接続部位の外表面に貼付するとともに、第２の標識を第２の部材の接続部位の外表面に貼付する。このように貼付した第１の標識と第２の標識とは、第１の部材と第２の部材とを接続した場合に所定の位置関係を有し、一つの標識として認識される識別標識を構成する。
【００２７】
図１に示す例では、第１の部材を接続対象となる第１鉄骨柱Ｃ１とし、第２の部材を第１鉄骨柱Ｃ１に接続する第２鉄骨柱としている。また、第１の標識を１鉄骨柱の接続部位に貼付する第１タグＴ１とし、第２の標識を第２鉄骨柱Ｃ２の接続部位に貼付する第２タグＴ２としている。
【００２８】
そして、準備工程において、第１タグＴ１を第１鉄骨柱Ｃ１の接続部位の外表面に貼付するとともに、第２タグＴ２を第２鉄骨柱Ｃ２の接続部位の外表面に貼付する。このように貼付した第１タグＴ１と第２タグＴ２とは、第１鉄骨柱Ｃ１と第２鉄骨柱Ｃ２とを接続した場合に所定の位置関係を有し、一つの標識として認識される接続タグＴを構成する（図１（ｃ）参照）。なお、図１（ａ）に示す第２鉄骨柱のように、一端が第１鉄骨柱Ｃ１に接続され、他端が第３鉄骨柱（図示せず）に接続される場合には、一端に第２タグＴ２を貼付するとともに他端に第３タグＴ３を貼付する。
【００２９】
そして、図１（ａ）に示すように、第１鉄骨柱Ｃ１は第１タグＴ１が貼付された状態で保管され、第２鉄骨柱Ｃ２は第２タグＴ２が貼付された状態で保管される。
【００３０】
確認工程（ステップＳ２）は、撮像した画像から識別情報が抽出された場合に接続完了を確認し、抽出されない場合に接続未了を確認する工程で、撮像工程（ステップＳ２１）と抽出工程（ステップＳ２２）とを含んでいる（図５参照）。撮像工程（ステップＳ２１）は、第１の部材と第２の部材との接続部を撮像する工程で、識別標識を抽出可能な画像であれば静止画像を撮像するものであってもよいし、動画像を撮像するものであってもよい。
【００３１】
抽出工程（ステップＳ２２）は、撮像工程（ステップＳ２１）において撮像した画像から識別標識を抽出する工程であって、既知の装置または方法によって、記憶した識別標識を抽出する。
【００３２】
そして、撮像した画像から識別標識が抽出された場合（ステップＳ２３：Ｙｅｓ）には第１の部材と第２の部材との接続を完了とし（ステップＳ２４）、撮像した画像から識別標識が抽出されない場合には第１の部材と第２の部材との接続を未了とする（ステップＳ２５）。
【００３３】
図１に示す例では、（ｃ）に示すように、撮像した画像から接続タグＴが抽出された場合には、第１鉄骨柱Ｃ１と第２鉄骨柱Ｃ２との接続を完了とし、（ｂ）に示すように、撮像した画像から接続タグＴが抽出されない場合に第１鉄骨柱Ｃ１と第２鉄骨柱Ｃ２との接続を未了とする。
【００３４】
上述した実施の形態である進捗状況管理装置は、接続部情報と関連づけて識別標識情報を記憶する記憶装置３と、接続部を撮像した画像から記憶装置３に記憶した識別標識情報が抽出された場合に接続完了とし、識別標識情報が抽出されない場合に接続未了とする管理装置２とを備えることによって、第１の部材と第２の部材とが接続されたか否かを管理するので、建設現場における工事の進捗状況を簡単かつ確実に管理できる。
【００３５】
上述した実施の形態である進捗状況管理方法は、接続部に関連づけて識別標識を記憶するとともに、識別標識を構成する標識を貼付する準備工程（ステップＳ１）と、撮像した画像から識別標識が抽出された場合に接続完了とし、識別標識が抽出されない場合に接続未了とする管理工程（ステップＳ２）とによって、第１の部材と第２の部材とが接続されたか否かを管理するので、建設現場における工事の進捗状況を簡単かつ確実に管理できる。
【符号の説明】
【００３６】
１    進捗状況管理装置
２    管理装置
３    記憶装置
３０    データベース
Ｃ１    第１鉄骨柱（第１の部材）
Ｃ２    第２鉄骨柱（第２の部材）
Ｔ    接続タグ（識別標識）
Ｔ１    タグ（第１の標識）
Ｔ２    タグ（第２の標識）
【図１】
2011221874.tif 000003
【図２】
2011221874.tif 000004
【図３】
2011221874.tif 000005
【図４】
2011221874.tif 000006
【図５】
2011221874.tif 000007